(57)【特許請求の範囲】
【請求項１】
車両に搭載される車載装置と、該車載装置に広告情報を配信する配信装置とからなる広告情報配信システムであって、
前記車載装置は、
前記車両の現在地から目的地に至る予定経路を表す経路情報を、前記配信装置に送信すると共に、前記配信装置から受信した前記広告情報を、前記車両の乗員に報知し、
前記経路情報は、前記車両の目的地を表す目的地情報を含み、
前記配信装置は、
前記車載装置から前記経路情報を受信した場合に、前記予定経路に沿って設定される領域内に位置する施設に関する前記広告情報のうち、前記車両の目的地から推定される移動の目的に関連した前記広告情報を、前記車載装置に送信することを特徴とする広告情報配信システム。
【請求項２】
前記車載装置は、前記車両の乗員が前記広告情報を受け取るための受取条件を表す受取情報を、前記配信装置に送信し、
前記配信装置は、前記車載装置から前記受取情報を受信した場合に、前記受取条件に従って、前記車載装置に送信する前記広告情報を絞り込むことを特徴とする請求項１に記載の広告情報配信システム。
【請求項３】
前記車載装置は、前記車両の乗員が利用した前記広告情報の施設に対する評価を表す広告評価情報を、前記配信装置に送信し、
前記配信装置は、前記車載装置から前記広告評価情報を受信した場合に、前記広告情報と対応付けて記憶することを特徴とする請求項１または請求項２に記載の広告情報配信システム。
【請求項４】
前記車載装置は、前記配信装置から受信した前記広告情報に対応する前記広告評価情報を要求する評価要求を、前記配信装置に送信すると共に、前記配信装置から受信した前記広告評価情報を、前記車両の乗員に報知し、
前記配信装置は、前記車載装置から前記評価要求を受信した場合に、前記車載装置が要求する前記広告評価情報を、前記車載装置に送信することを特徴とする請求項３に記載の広告情報配信システム。
【請求項５】
複数の広告情報からなる広告情報リストを記憶する情報記憶手段と、
無線信号を送受信する配信側通信手段と、
車両の現在地から目的地に至る予定経路を表す経路情報を、前記配信側通信手段を介して受信した場合に、受信した該経路情報に基づいて、前記情報記憶手段が記憶する前記広告情報リストの中から、前記予定経路に沿って設定される領域内に位置する施設に関する前記広告情報を選択する情報選択手段と、
前記情報選択手段が選択した前記広告情報を、前記配信側通信手段を介して送信する広告情報送信手段と、
を備え、
前記経路情報は、前記車両の目的地を表す目的地情報を含み、
前記情報選択手段は、前記車両の目的地から推定される移動の目的に関連した前記広告情報を抽出することを特徴とする配信装置。
【請求項６】
前記経路情報は、前記予定経路を構成する道路が一般道路であるか高速道路であるかの道路属性を表す道路情報を含み、
前記情報選択手段は、前記予定経路上の前記道路属性に応じた道路に位置する施設に関する前記広告情報を抽出することを特徴とする請求項５に記載の配信装置。
【請求項７】
前記情報選択手段は、前記広告情報の広告主が設定した配信条件に従って、前記広告情報を絞り込むことを特徴とすることを特徴とする請求項５または請求項６に記載の配信装置。
【請求項８】
前記経路情報は、前記予定経路上で一定距離毎に離れた通過点を表す通過点情報を含み、
前記配信条件は、前記通過点と前記広告情報の施設との距離が予め設定された距離内であることを特徴とする請求項７に記載の配信装置。
【請求項９】
前記経路情報は、前記予定経路上で一定距離毎に離れた通過点を、前記車両が通過する予定時刻を表す時刻情報を含み、
前記配信条件は、前記予定時刻が予め設定された時刻の範囲内であることを特徴とする請求項７または請求項８に記載の配信装置。
【請求項１０】
前記情報選択手段は、前記車両の乗員が前記広告情報を受け取るために設定した受取条件を表す受取情報を、前記配信側通信手段を介して受信した場合に、該受取条件に従って、前記広告情報を絞り込むことを特徴とすることを特徴とする請求項５ないし請求項９のいずれかに記載の配信装置。
【請求項１１】
前記情報記憶手段は、前記車両の乗員が利用した前記広告情報の施設に対する評価を表す広告評価情報を、前記配信側通信手段を介して受信した場合に、前記広告情報リストに前記広告情報と対応付けて記憶し、
前記情報選択手段は、前記車両の乗員が閲覧した前記広告情報についての前記広告評価情報を要求する評価要求を、前記配信側通信手段を介して受信した場合に、受信した該評価要求に基づいて、前記情報記憶手段が記憶する前記広告情報リストの中から前記広告評価情報を選択し、
前記情報選択手段が選択した前記広告評価情報を、前記配信側通信手段を介して送信する第一評価情報送信手段を備えることを特徴とする請求項５ないし請求項１０のいずれかに記載の配信装置。
【請求項１２】
請求項５ないし請求項１１のいずれかに記載の前記情報記憶手段および前記配信側通信手段を有するコンピュータを前記情報選択手段および前記広告情報送信手段として機能させるためのプログラム。
【発明の詳細な説明】
【技術分野】
【０００１】
本発明は、ナビゲーション機能を有する車載装置を利用した広告情報配信システムに関する。
【背景技術】
【０００２】
従来より、広告の提供を行う側（以下、広告主という）により設定登録される登録情報を記憶するデータベースを有する配信装置と、広告の提供を受ける側（以下、ユーザという）が運転する車両（以下、対象車両という）に搭載され、ナビゲーション機能を有する車載装置とからなる広告情報配信システムが知られている（例えば、特許文献１参照）。
【０００３】
なお、この広告情報配信システムで使用される車載装置は、対象車両の現在位置を算出する周知のナビゲーション処理を行うと共に、算出した現在位置を表す位置情報を配信装置に送信する送信機を備えている。また、配信装置のデータベースが記憶する登録情報には、広告主が運営する施設の広告に関する広告情報が含まれている。
【０００４】
この種の広告情報配信システムでは、配信装置が、車載装置から送信される位置情報に基づいて、対象車両の現在位置から一定の距離内を含むエリアを特定し、このエリア内に位置する施設に関する広告情報をデータベースから抽出して、この広告情報を対象車両に配信している。
【特許文献１】特開２００５−３３４６４号公報
【発明の開示】
【発明が解決しようとする課題】
【０００５】
しかし、従来の広告情報配信システムでは、対象車両に配信される広告情報が、対象車両の現在位置に基づいて特定されたエリア内に位置する施設に関するものに限られるため、以下のような問題があった。
【０００６】
即ち、従来の広告情報配信システムでは、高速道路を走行中の対象車両に対して、一般道に面した施設に関する広告情報を配信してしまったり、中央分離帯がある一般道を走行中の対象車両に対して、反対車線側に面した施設に関する広告情報を配信してしまったりするケースがあり、配信する広告情報が、必ずしもユーザにとって利用価値の高いものではないという問題があった。
【０００７】
また、従来の広告情報配信システムでは、現在位置周辺の広告情報しか得られないため、車両で走行中のユーザにとって、受け取った広告情報を吟味する時間が制約され、施設の利用計画を立てるための充分な時間が確保されないという問題があった。
【０００８】
さらに、従来の広告情報配信システムでは、広告主の増加に伴う広告情報の配信数の増加により、ユーザにとって、受け取った広告の中から利用しようとするものを検索する作業に時間がかかりすぎるようになり、ユーザの利用頻度を後退させてしまうという可能性があった。
【０００９】
なお、これらの問題はユーザに限るものではなく、広告主にとっても、配信する広告情報のうち実際にユーザに閲覧される割合や、ユーザに閲覧された広告情報に基づいて実際にユーザに施設を利用してもらう割合が、広告主の意に反して少なくなり、期待する広告効果が得られないという可能性があった。
【００１０】
本発明は、上記問題点を解決するために、車両で移動するユーザにとって極力利用しやすい広告情報を配信する広告情報配信システム、配信装置、及び、車載装置を提供することを目的とする。
【課題を解決するための手段】
【００１１】
上記の目的を達成するためになされた発明である請求項１に記載の広告情報配信システムでは、車両に搭載される車載装置が、自車両（以下、対象車両という）の現在地から目的地に至る予定経路を表す経路情報を送信し、この経路情報を車載装置から受信した配信装置が、予定経路に沿って設定される領域内に位置する施設に関する広告情報を送信する。なお、この広告情報を受信した車載装置は、対象車両の乗員（以下、ユーザという）に広告情報を報知する。
【００１２】
したがって、本発明の広告情報配信システムによれば、車載装置が受信して報知する広告情報が、目的地までのエリアをカバーするものであるため、予め配信された広告情報に基づいた利用計画を立てるための充分な時間をユーザに確保させ、ひいては、ユーザが利用しやすい広告情報を配信することができる。
さらに、経路情報には、対象車両の目的地を表す目的地情報が含まれており、配信装置は、対象車両の目的地から推定される移動の目的に関連した広告情報を送信する。この構成により、ユーザにとってより有益な広告情報を送信することができる。
【００１３】
また、請求項２に記載のように、車載装置は、ユーザが前記広告情報を受け取るための受取条件を表す受取情報を送信し、この受取情報を車載装置から受信した配信装置が、受取条件に従って、車載装置に配信する広告情報を絞り込むことが望ましい。
【００１４】
この場合、ユーザが希望する条件に沿った広告情報、換言すれば、ユーザにとってより利用しやすい広告情報を配信することができる。
ところで、請求項３に記載のように、車載装置は、広告情報の施設のうちユーザが利用した施設に対する評価を表す広告評価情報を送信し、この広告評価情報を車載装置から受信した配信装置が、広告評価情報を広告情報と対応付けて記憶することがより望ましい。
【００１５】
このように構成された広告配信システムによれば、配信する広告情報の施設ごとに対する利用者の評価を蓄積することができる。
さらに、請求項４に記載のように、車載装置が、広告情報に対応する広告評価情報を要求する評価要求を送信し、この評価要求を車載装置から受信した配信装置が、評価要求に対応する広告評価情報を送信すればよい。なお、この広告評価情報を受信した車載装置は、広告評価情報をユーザに報知する。
【００１６】
この場合、広告評価情報の内容を判断材料にして、広告情報の施設を利用するか否かをユーザに選択させることができる。
次に、第二の発明である請求項５に記載の配信装置では、情報選択手段が、車両の現在地から目的地に至る予定経路を表す経路情報を受信した場合に、この経路情報に基づいて、複数の広告情報からなる広告情報リストの中から、予定経路に沿って設定される領域内に位置する施設に関する広告情報を選択する。なお、情報記憶手段が、広告情報リストを記憶し、広告情報送信手段が、無線信号を送受信する配信側通信手段を介して、情報選択手段により選択された広告情報を送信する。
【００１７】
さらに、経路情報には、対象車両の目的地を表す目的地情報が含まれており、情報選択手段は、対象車両の目的地から推定される移動の目的に関連した広告情報を抽出する。
このように構成された配信装置によれば、請求項１に記載の広告配信システムに好適に用いることができる。
また、請求項６に記載のように、経路情報には、予定経路を構成する道路が一般道路であるか高速道路であるかの道路属性を表す道路情報が含まれ、情報選択手段は、予定経路上のこの道路属性に応じた道路に位置する施設に関する広告情報を抽出することが望ましい。
【００１８】
この場合、例えば、高速道路を走行中の車両に対して、一般道に面した施設に関する広告情報を送信してしまうことを防止することができ、ひいては、広告情報に基づいて実際にユーザに施設を利用してもらう割合を向上させることができる。
【００２１】
また、請求項７に記載のように、情報選択手段は、広告主が設定した配信条件に従って、広告情報を絞り込むことが望ましい。
【００２２】
この場合、例えば広告情報の施設の位置や営業内容などに応じて、広告情報の配信条件を広告主に選択させることができる。
さらに、請求項８に記載のように、経路情報には、予定経路上で一定距離毎に離れた通過点を表す通過点情報が含まれ、配信条件は、この通過点と広告情報の施設との距離が予め設定された距離内であることが望ましい。
【００２３】
或いは、請求項９に記載のように、経路情報には、対象車両が通過点を通過する予定時刻を表す時刻情報が含まれ、配信条件は、この予定時刻が予め設定された時刻の範囲内であってもよい。
【００２４】
これらのように構成された配信装置によれば、広告情報の配信条件をさらに絞り込むことにより、配信する広告情報のうち実際にユーザに閲覧される割合や、ユーザに閲覧された広告情報に基づいて実際にユーザに施設を利用してもらう割合をさらに向上させることができる。
【００２５】
また、請求項１０に記載のように、情報選択手段は、対象車両の乗員が広告情報を受け取るために設定した受取条件を表す受取情報を、配信側通信手段を介して受信した場合に、この受取条件に従って、広告情報を絞り込むことが望ましい。
【００２６】
このように構成された配信装置によれば、請求項２に記載の広告配信システムに好適に用いることができる。
ところで、請求項１１に記載のように、情報記憶手段が、配信側通信手段を介して広告評価情報を受信した場合に、この広告評価情報を広告情報リストに広告情報と対応付けて記憶しておき、情報選択手段が、配信側通信手段を介して評価要求を受信した場合に、この評価要求に基づいて、情報記憶手段が記憶する広告情報リストの中から広告評価情報を選択することが望ましい。なお、第一評価情報送信手段が、情報選択手段により選択された広告評価情報を、配信側通信手段を介して送信する。
【００２７】
このように構成された配信装置によれば、請求項３及び請求項４に記載の広告情報配信システムに好適に用いることができる。
次に、第三の発明である請求項１２に記載のプログラムは、請求項５ないし請求項１１のいずれかに記載の情報記憶手段および配信側通信手段を有するコンピュータを情報選択手段および広告情報送信手段として機能させるためのプログラムである。
このようなプログラムによれば、請求項５ないし請求項１１のいずれかに記載の配信装置に好適に用いることができる。
なお、車載装置では、経路情報送信手段が、経路情報取得手段により取得された経路情報を送信し、報知手段が、車両側通信手段を介して受信した広告情報を報知する。
【００２８】
このように構成された車載装置によれば、請求項１に記載の広告配信システムに好適に用いることができる。
具体的には、経路情報取得手段において、経路算出部が、現在地取得部により取得された現在地情報と、情報入力部を介して入力される目的地情報と、地図情報記憶部から読み出した地図情報（即ち、道路地図を表す情報）とに基づいて予定経路を算出すればよい。
【００２９】
ここで、広告情報には、その施設の位置を表す広告位置と、その内容を表す広告内容とが対応付けられ、報知手段において、表示部が、車両側通信手段を介して受信した広告情報と、地図情報記憶部から読み出した地図情報とに基づいて、道路地図上の広告位置に、広告内容を表示する画面にリンクするアイコンを表示することが望ましい。
【００３０】
このように構成された車載装置によれば、広告位置をユーザに直観的に認識させると共に、表示されるアイコンの位置に基づいて広告内容を閲覧するか否かをユーザに選択させることができる。
【００３１】
また、経路情報取得手段が取得する経路情報には、経路算出部が算出した予定経路における道路情報が含まれていることが望ましい。なお、道路の道路属性を表す道路情報は、例えば、地図情報記憶部が記憶する地図情報から取得すればよい。
【００３２】
この場合、請求項６に記載の配信装置と共に好適な広告情報配信システムを構成することができる。
さらに、経路情報取得手段が取得する経路情報には、情報入力部を介して入力される目的地情報が含まれていてもよい。
【００３３】
この場合、請求項５に記載の配信装置と共に好適な広告情報配信システムを構成することができる。
【００３４】
なお、受取情報送信手段は、情報入力部を介して入力される受取情報を、車両側通信手段を介して送信することが望ましい。
このように構成された車載装置によれば、請求項２に記載の広告配信システムに好適に用いることができる。
【００３５】
さらに言えば、受取条件は、ユーザが所望する広告種別であってもよいし、ユーザが所望する広告数であってもよい。
前者の場合、例えばユーザの趣味や嗜好などに応じて、後者の場合、例えば車載装置の記憶容量などに応じて、それぞれユーザに受取条件を選択させることができる。
【００３６】
また、第二評価情報送信手段が、情報入力部を介して入力される広告評価情報を、車両側通信手段を介して送信することが望ましい。
このように構成された車載装置によれば、請求項３に記載の広告配信システムに好適に用いることができる。
【００３７】
さらに、要求送信手段が、ユーザが閲覧した広告情報についての広告評価情報を要求する評価要求を、車両側通信手段を介して送信し、報知手段は、車両側通信手段を介して受信した広告評価情報を報知することが望ましい。
【００３８】
このように構成された車載装置によれば、請求項４に記載の広告配信システムに好適に用いることができる。
【発明を実施するための最良の形態】
【００３９】
以下に、本発明の実施形態を図面と共に説明する。
＜広告情報配信システムの構成＞
図１は、本発明が適用された広告情報配信システムの構成を示したブロック図である。
【００４０】
図１に示すように、広告情報配信システム１は、広告の提供を行う側（以下、広告主という）が所有する端末装置１０と、広告の提供を受ける側（以下、ユーザという）の車両（以下、対象車両という）に搭載された車載装置２０と、この広告情報配信システム１を運営する側（以下、運営者という）の施設である広告配信センタに設置された配信装置３０とから構成されている。
【００４１】
なお、広告情報配信システム１では、インターネット網を介して、端末装置１０と配信装置３０とが相互に有線データ通信を行うと共に、携帯電話網（即ち、携帯電話の通信網）を介して、車載装置２０と配信装置３０とが相互に無線データ通信を行うことが可能に構成されている。
【００４２】
また、広告情報配信システム１において、図１では、説明の便宜上、端末装置１０及び車載装置２０を一つずつ図示しているが、実際には広告主およびユーザが複数存在するため、これらの広告主およびユーザの数に応じて、端末装置１０及び車載装置２０が複数存在している。
【００４３】
次に、広告情報配信システム１を構成する各装置１０，２０，３０の具体的な構成について説明する。
＜端末装置の構成＞
端末装置１０は、マウスやキーボード等の周知の外部入力装置からなり、自装置を動作させるために必要な各種情報を入力する操作部１１と、画像を表示する表示部１２と、インターネット網を介して各種のデータ通信を行うネットワークインターフェース（以下、ネットワークＩ／Ｆという）１３と、操作部１１，ネットワークＩ／Ｆ１３からの入力に応じて各種処理を実行し、表示部１２，ネットワークＩ／Ｆ１３を制御する制御部１４とを備えている。
【００４４】
このうち、制御部１４は、ＣＰＵ，ＲＯＭ，ＲＡＭ，Ｉ／Ｏ及びこれらを接続するバスライン等からなる周知のマイクロコンピュータを中心に構成されており、ＲＯＭや外部記憶装置などに記憶されたプログラムに従って、後述するように、広告情報４０の登録を依頼する広告登録処理、及び、広告評価情報５０を取得する広告評価取得処理を実行する。
【００４５】
＜車載装置の構成＞
車載装置２０は、自車両の現在の位置及び向きを検出する位置検出部２１と、地図データや各種情報を記録した地図記憶媒体から地図データ等を入力する地図データ入力部２２と、地図や各種情報の画像表示を行うための表示部２３と、ユーザからの各種指示を入力するための操作スイッチ群２４と、外部と無線データ通信（即ち、無線信号の送受信）を行う通信ユニット２５と、各種のガイド音声などを出力するための音声出力部２６と、通信ユニット２５を介して受信したデータや、操作スイッチ群２４を介して入力した情報を記憶する外部メモリ２７と、上述した位置検出部２１，地図データ入力部２２，操作スイッチ群２４，通信ユニット２５，外部メモリ２７からの入力に応じて各種処理を実行し、表示部２３，通信ユニット２５，音声出力部２６，外部メモリ２７を制御する制御部２８とを備えている。
【００４６】
このうち、位置検出部２１は、ＧＰＳ（Global Positioning System）用の人工衛星からの電波を図示しないＧＰＳアンテナを介して受信してその受信信号を出力するＧＰＳ受信機２１ａと、車両に加えられる回転運動の大きさを検出するジャイロスコープ２１ｂと、車両の前後方向の加速度等から走行した距離を検出するための距離センサ２１ｃと、地磁気から進行方位を検出するための地磁気センサ２１ｄとを備えている。そして、これら各センサ等２１ａ〜２１ｄは、各々が性質の異なる誤差を有しているため、互いに補完しながら使用するように構成され、車両の位置，方位，移動距離などを算出するための各検出信号を出力する。なお、精度によっては、上述したうちの一部のセンサで構成されてもよく、或いは、ステアリングの回転センサや各転動輪の車輪センサ等を用いてもよい。
【００４７】
地図データ入力部２２は、図示しない地図記憶媒体に記憶された各種データを入力するための装置である。なお、地図記憶媒体には、高速道路や一般道路などの道路属性を表す道路属性データや、車線単位で区分された車線データ等を含む道路情報や、案内用の音声データ等が記憶されている。また、地図データには、道路属性データや車線データの他に、ノードデータ，リンクデータ，地形データ，マークデータ，交差点データ，施設のデータ等の周知の付加データも含まれている。
【００４８】
表示部２３は、カラー表示装置であり、液晶ディスプレイ，有機ＥＬディスプレイ，ＣＲＴ等があるが、そのいずれを用いてもよい。
操作スイッチ群２４は、表示部２３の表示面２３ａと一体に構成されたタッチパネル２４ａ、及び、表示部２３の周囲に設けられたメカニカルなキースイッチ２４ｂ等から構成される。このうち、タッチパネル２４ａは、表示面２３ａと積層一体化されており、表示面２３ａの押下あるいは接触操作により、ユーザからの各種指示を表す検出信号を入力する。なお、タッチパネル２４ａには、感圧方式，電磁誘導方式，静電容量方式，或いはこれらを組み合わせた方式など各種の方式があるが、そのいずれを用いてもよい。
【００４９】
通信ユニット２５は、ユーザが所有する携帯電話２５ａと、この携帯電話２５ａを接続する携帯電話接続装置２５ｂとからなり、携帯電話網（携帯電話の通信網）を介して無線データ通信を行う。
【００５０】
制御部２８は、ＣＰＵ，ＲＯＭ，ＲＡＭ，Ｉ／Ｏ及びこれらを接続するバスライン等からなる周知のマイクロコンピュータを中心に構成されており、ＲＯＭや外部記憶装置などに記憶されたプログラムに従って、後述するように、広告評価情報５０を配信装置３０に登録する広告評価登録処理、配信装置３０から配信される広告情報４０及び広告評価情報５０をユーザに報知する広告情報等制御処理を実行する。
【００５１】
＜配信装置の構成＞
配信装置３０は、広告主が運営する施設（以下、広告施設という）に関する各種情報からなる広告情報４０を記憶する広告データベース３１と、地図データや各種情報を記録した地図記憶媒体から地図データ等を入力する地図データ入力部３２と、外部と通信を行う外部通信部３３と、各部等３１〜３３からの入力に応じて各種処理を実行し、広告データベース３１及び外部通信部３３を制御する制御部３４とを備えている。
【００５２】
このうち、広告データベース３１は、図２に示すように、広告情報４０と、広告施設を利用したユーザ等の評価内容（５段階評価やコメント等）を表す広告評価情報５０とからなる広告情報リスト６０を記憶している。なお、広告情報リスト６０では、広告情報４０及び広告評価情報５０が、広告施設ごとに割り当てられた識別情報である広告番号４１に対応付けられている。
【００５３】
また、広告情報４０では、広告主個別の識別情報である広告主ＩＤ４２と、広告施設の名称を表す広告名称４３と、広告施設の位置を座標で表す広告位置４４と、広告施設をユーザに広告する内容を表す広告内容４５と、広告施設の写真やおすすめ商品などの各種画像を表す広告画像４６と、広告施設の連絡先を表す電話番号４７と、広告主が設定する広告情報４０の配信条件を表す広告配信条件４８とが、広告番号４１に対応付けられている。
【００５４】
図１に戻り、外部通信部３３は、携帯電話網を介して無線データ通信を行うと共に、インターネット網を介して有線データ通信を行う。
また、制御部３４は、ＣＰＵ，ＲＯＭ，ＲＡＭ，Ｉ／Ｏ及びこれらを接続するバスライン等からなる周知のマイクロコンピュータを中心に構成されており、ＲＯＭや外部記憶装置などに記憶されたプログラムに従って、後述するように、広告情報４０を登録する広告登録処理や、広告情報４０を配信するための広告情報制御処理、広告評価情報５０を配信する広告評価配信処理を実行する。
【００５５】
次に、広告情報配信システム１を構成する各装置１０，２０，３０の制御部１４，２８，３４が実行する具体的な処理について説明する。
＜広告登録処理（端末装置）＞
まず、端末装置１０の制御部１４が実行する広告登録処理を、図３に示すフローチャートに沿って詳しく説明する。
【００５６】
なお、本処理は、操作部１１を介して、広告主から処理開始のための指示が入力されたことを検知したときに起動される。また、本実施形態では、広告主ＩＤ４２と、広告主により設定されたパスワード４２ａとが、広告配信センタに予め登録されていることを前提とする。
【００５７】
本処理が開始されると、Ｓ１１０では、広告情報４０の登録を広告配信センタに依頼するための登録依頼フォームを、ネットワークＩ／Ｆ１３を介して配信装置３０から取得する。
【００５８】
続くＳ１２０では、先のＳ１１０で取得した登録依頼フォームを表示部１２に表示する。なお、登録依頼フォームは、広告情報４０及びパスワード４２ａを入力するための入力ボックスと、この登録依頼フォームを配信装置３０に送信するか否かをユーザに選択させ、送信する場合に用いられる「送信」ボタンと、送信しない場合に用いられる「キャンセル」ボタンとを有している。但し、入力ボックスのうち、広告位置４４の欄には、広告施設の住所を入力させるためのタブが設けられている。
【００５９】
続くＳ１３０では、登録依頼フォームが有するボタンのうちいずれが押下されたかを判断し、「送信」ボタンが押下された場合にはＳ１４０に進み、「キャンセル」ボタンが押下された場合には本処理を終了する。
【００６０】
Ｓ１４０では、操作部１１を介して入力された登録依頼フォームを、ネットワークＩ／Ｆ１３を介して配信装置３０に送信する。
続くＳ１５０では、送信した登録依頼フォームに入力漏れなどのエラーがあった場合に通知されるエラー通知を、ネットワークＩ／Ｆ１３を介して配信装置３０から受信したか否かを判断し、肯定判断した場合にはＳ１６０に進み、否定判断した場合にはＳ１７０に進む。
【００６１】
Ｓ１６０では、送信した登録依頼フォームのエラーに該当する箇所および内容を、表示部１２に表示して再びＳ１２０に戻る。
一方、Ｓ１７０では、送信した登録依頼フォームの入力内容（即ち、広告情報４０）に対する広告配信センタの審査結果が通知される審査通知を、ネットワークＩ／Ｆ１３を介して配信装置３０から受信したか否かを判断し、肯定判断した場合にはＳ１８０に進み、否定判断した場合にはそのまま待機する。
【００６２】
Ｓ１８０では、受信した審査通知に含まれる審査フラグに基づいて、送信した広告情報４０が広告配信センタの審査をパスしたか否かを判断し、肯定判断した場合には本処理を終了し、否定判断した場合には再びＳ１２０に戻る。なお、広告配信センタの審査をパスした広告情報４０は、配信装置３０の広告データベース３１に記憶される。
【００６３】
＜広告登録処理（配信装置）＞
次に、配信装置３０の制御部３４が実行する広告登録処理を、図４に示すフローチャートに沿って詳しく説明する。なお、本処理は、端末装置１０から送信された登録依頼フォームを、外部通信部３３を介して受信した際に起動される。
【００６４】
本処理が開始されると、Ｓ２１０では、外部通信部３３を介して受信した登録依頼フォームに基づいて、この登録依頼フォームに入力漏れなどのエラーがあるか否かを判断し、肯定判断した場合にはＳ２２０に進み、否定判断した場合にはＳ２３０に進む。
【００６５】
Ｓ２２０では、登録依頼フォームのエラーに該当する箇所および内容を表すエラー通知を、外部通信部３３を介して端末装置１０に送信して再びＳ２１０に戻る。
一方、Ｓ２３０では、受信した登録依頼フォームの入力内容（即ち、広告情報４０）の審査を行う。なお、この広告情報４０の審査は、運営者が行ってもよいし、例えば広告内容４５に含まれる文言に社会観念上不適切なものが含まれていないかどうかを自動的にチェックするソフトウェア処理により行わせてもよい。
【００６６】
続くＳ２４０では、先のＳ２３０で行われた審査結果に基づいて、受信した広告情報４０が広告配信センタの審査をパスしたか否かを判断し、肯定判断した場合にはＳ２５０に進み、否定判断した場合にはＳ２６０に進む。
【００６７】
Ｓ２５０では、広告配信センタの審査をパスした広告情報４０を広告データベース３１に記憶してＳ２７０に進む。なお、広告情報４０を記憶する際に、地図データ入力部３２から入力される地図データに基づいて、広告位置４４は、広告施設の住所から広告施設の位置座標に変換されている。
【００６８】
また、Ｓ２６０では、広告情報４０の審査結果を表す審査フラグを、受信した広告情報４０がパスしなかったことを表す０に設定し、Ｓ２７０では、審査フラグを、受信した広告情報４０の審査がパスしたことを表す１に設定してＳ２８０に進む。
【００６９】
Ｓ２８０では、先のＳ２６０又はＳ２７０で審査フラグが設定された審査通知を、外部通信部３３を介して端末装置１０に送信して本処理を終了する。
＜広告評価登録処理（車載装置）＞
次に、車載装置２０の制御部２８が実行する広告評価登録処理を、図５に示すフローチャートに沿って詳しく説明する。なお、本処理は、操作スイッチ群２４を介して、ユーザから処理開始のための指示が入力されたことを検知したときに起動される。
【００７０】
本処理が開始されると、Ｓ３１０では、広告評価情報５０を広告配信センタに登録するための評価登録フォームを、通信ユニット２５を介して配信装置３０から取得する。
続くＳ３２０では、先のＳ３１０で取得した評価登録フォームを表示部２３に表示する。なお、評価登録フォームは、ユーザが利用した広告施設に対する５段階評価およびコメントを入力するための入力ボックスと、この評価登録フォームを配信装置３０に送信するか否かを広告主に選択させ、送信する場合に用いられる「送信」ボタンと、送信しない場合に用いられる「キャンセル」ボタンとを有している。
【００７１】
続くＳ３３０では、評価登録フォームが有するボタンのうちいずれが、タッチパネル２４ａを介して押下されたかを判断し、「送信」ボタンが押下された場合にはＳ３４０に進み、「キャンセル」ボタンが押下された場合には本処理を終了する。
【００７２】
Ｓ３４０では、操作スイッチ群２４を介して入力された評価登録フォームを、通信ユニット２５を介して配信装置３０に送信して本処理を終了する。
なお、先のＳ３４０で送信した評価登録フォームを受信した配信装置３０は、この評価登録フォームに基づいて、広告施設に対する５段階評価およびコメントを、この広告施設の広告番号４１に対応づけて広告情報リスト６０に記憶する。
【００７３】
＜広告情報等制御処理（車載装置）＞
次に、車載装置２０の制御部２８が実行する広告情報等制御処理を、図６に示すフローチャートに沿って詳しく説明する。なお、本処理は、操作スイッチ群２４を介して、ユーザから処理開始のための指示が入力されたことを検知したときに起動され、ナビゲーション処理と並列して実行される。
【００７４】
ちなみに、ナビゲーション処理は、制御部２８のＲＯＭに記憶されたプログラムに基づいて、位置検出部２１からの各検出信号に基づき、座標および進行方向の組として自車両の現在の位置及び方向を算出し、地図データ入力部２２を介して読み込んだ道路地図画像を表示部２３に表示する地図表示処理や、地図データ入力部２２に記憶された各データに基づき、操作スイッチ群２４の操作に従って目的地を選択し、現在地から目的地までの最適な経路（以下、予定経路という）を自動的に求める経路計算を行い、この予定経路に基づいて経路案内を行う経路案内処理をいう。
【００７５】
本処理が開始されると、Ｓ４１０では、ユーザが配信を希望する広告に関する設定（以下、ユーザ設定という）を行うためのユーザ設定画面を表示部２３に表示する。なお、このユーザ設定画面は、ユーザ設定に関して、広告種別（例えば、飲食店など）を選択するためのチェックボックスと、広告数を入力するための入力ボックスと、このユーザ設定を配信装置３０に送信するか否かをユーザに選択させ、送信する場合に用いられる「送信」ボタンと、送信しない場合に用いられる「キャンセル」ボタンとを有している。
【００７６】
続くＳ４１５では、ユーザ設定画面が有するボタンのうちいずれが、タッチパネル２４ａを介して押下されたかを判断し、「送信」ボタンが押下された場合にはＳ４２０に進み、「キャンセル」ボタンが押下された場合にはＳ４２５に進む。
【００７７】
Ｓ４２０では、操作スイッチ群２４を介して入力されたユーザ設定を表すユーザ設定情報９０ａを、通信ユニット２５を介して配信装置３０に送信する。
続くＳ４２５では、本処理と並列して実行されるナビゲーション処理の経路計算などにより求められた経路情報９０を生成する。
【００７８】
なお、経路情報９０は、予定経路上の予め設定された距離（例えば、５〜１０ｋｍ程度）毎の通過点の位置および予想通過時刻を表す通過点情報９１と、この通過点を含むリンク（即ち、ノード間の予定経路）を構成する道路の道路属性を表す道路情報９２と、自車両の現在の位置及び向きを表す現在地情報９３と、自車両の目的地を表す目的地情報９４とを有している。
【００７９】
続くＳ４３０では、先のＳ４２５で生成された経路情報９０を、通信ユニット２５を介して配信装置３０に送信する。
続くＳ４３５では、配信装置３０により抽出された複数の配信広告情報４０ａからなる配信広告リスト６１を、通信ユニット２５を介して配信装置３０から受信したか否かを判断し、肯定判断した場合にはＳ４４０に進み、否定判断した場合にはそのまま待機する。なお、配信広告情報４０ａは、広告名称４３，広告位置４４，広告内容４５，広告画像４６，電話番号４７が広告番号４１に対応付けられて構成されている。また、受信した配信広告リスト６１は、外部メモリ２７に記憶される。
【００８０】
Ｓ４４０では、三種類の表示モードからなる広告表示画面７４をユーザに選択させて、この広告表示画面７４を表示部２３に表示する広告表示処理を実行する。
《広告表示処理（車載装置）》
ここで、先の広告情報等制御処理のＳ４４０で実行される広告表示処理の詳細を、図７に示すフローチャートに沿って説明する。
【００８１】
まず、Ｓ５１０では、自車両の予定経路の全体を表示する経路全体表示モードが、操作スイッチ群２４を介してユーザにより選択されたか否かを判断し、肯定判断した場合にはＳ５２０に進み、否定判断した場合にはＳ５３０に進む。
【００８２】
Ｓ５２０では、図８（ａ）に示すように、外部メモリ２７に記憶された配信広告リスト６１における広告位置４４に基づいて、ナビゲーション処理により予定経路の全ルートを表す道路地図画像上に、広告詳細画面７５にリンクするアイコン（以下、広告アイコンという）７４ａを重畳させた広告表示画面７４を、表示部２３に表示して本処理を終了する。
【００８３】
また、Ｓ５３０では、自車両の予定経路の一部を表示する経路一部表示モードが、操作スイッチ群２４を介してユーザにより選択されたか否かを判断し、肯定判断した場合にはＳ５４０に進み、否定判断した場合にはＳ５５０に進む。
【００８４】
Ｓ５４０では、図８（ｂ）に示すように、ナビゲーション処理の経路案内などにより予定経路の一部ルートを表す道路地図画像上に、広告アイコン７４ａを重畳させた広告表示画面７４を、表示部２３に表示して本処理を終了する。
【００８５】
さらに、Ｓ５５０では、外部メモリ２７に記憶された配信広告リスト６１等から、ユーザにより検索された結果をリストにして表示する検索リストモードが、操作スイッチ群２４を介してユーザにより選択されたか否かを判断し、肯定判断した場合にはＳ５６０に進み、否定判断した場合には再びＳ５１０に戻る。
【００８６】
Ｓ５６０では、図８（ｃ）に示すように、外部メモリ２７に記憶された配信広告リスト６１に基づいて、広告名称４３を表示するダイアログ７４ｂと、広告詳細画面７５にリンクする「詳細」ボタン７４ｃとからなる検索結果リストを広告表示画面７４に表示して本処理を終了する。なお、この検索結果リストには、地図データ入力部から入力される施設のデータ（所謂、ＰＯＩ）が含まれていてもよい。
【００８７】
図６に戻り、Ｓ４４５では、Ｓ４３５で表示された広告表示画面７４上のアイコン７４ａ又は「詳細」ボタン７４ｃが、タッチパネル２４ａを介して押下されたか否かを判断し、肯定判断した場合にはＳ４５０に進み、否定判断した場合にはＳ４７５に進む。
【００８８】
Ｓ４５０では、先のＳ４４５で押下されたアイコン７４ａ又は「詳細」ボタン７４ｃに基づいて、図９（ａ）に示すように、広告番号４１に対応する広告名称４３，広告内容４５，広告画像４６，電話番号４７を表示するダイアログ７５ａと、広告評価情報５０を取得するための「評価」ボタン７５ｂと、広告位置４４を目的地に設定するための「目的地設定」ボタン７５ｃとからなる広告詳細画面７５を、表示部２３に表示する。
【００８９】
続くＳ４５５では、先のＳ４５０で表示された広告詳細画面７５上の「評価」ボタン７５ｂが、タッチパネル２４ａを介して押下されたか否かを判断し、肯定判断した場合にはＳ４６０に進み、否定判断した場合にはＳ４７５に進む。
【００９０】
Ｓ４６０では、広告評価情報５０を取得するための要求信号（以下、車側要求信号という）を、通信ユニット２５を介して配信装置３０に送信する。
続くＳ４６５では、先のＳ４６０で送信した車側要求信号に応答する広告評価情報５０を、通信ユニット２５を介して配信装置３０から受信したか否かを判断し、肯定判断した場合にはＳ４７０に進み、否定判断した場合にはＳ４７５に進む。
【００９１】
Ｓ４７０では、先のＳ４６５で受信した広告評価情報５０に基づいて、図９（ｂ）に示すように、広告番号４１に対応する広告名称４３及び広告内容４５と共に、広告評価情報（図の総合評価，コメント）を表示するダイアログ７６ａと、広告位置４４を目的地に設定するための「目的地設定」ボタン７６ｂとからなる評価表示画面７６を、表示部２３に表示する。
【００９２】
続くＳ４７５では、本処理と並列して実行されるナビゲーション処理や、先のＳ４５０又はＳ４７０で表示される「目的地設定」ボタン７６ｂの押下により、予定経路が再探索されたか否かを判断し、肯定判断した場合には再びＳ４２５に戻り、否定判断した場合には再びＳ４５５に戻る。
【００９３】
なお、本処理は、操作スイッチ群２４を介して、ユーザから広告表示画面７４を表示部２３に表示するための指示が入力されたことを検知したときにはＳ４４０に戻り、ユーザから処理終了のための指示が入力されたことを検知したときには終了する。
【００９４】
＜広告情報制御処理（配信装置）＞
次に、配信装置３０の制御部３４が実行する広告情報制御処理を、図１０に示すフローチャートに沿って詳しく説明する。なお、本処理は、車載装置２０から送信されたユーザ設定情報９０ａを、外部通信部３３を介して受信した際に起動される。
【００９５】
本処理が開始されると、Ｓ６１０では、外部通信部３３を介して受信したユーザ設定情報９０ａ、即ち、ユーザが配信を希望する広告種別および広告数を、制御部３４のＲＡＭに記憶する。
【００９６】
続くＳ６２０では、車載装置２０から送信された経路情報９０を、外部通信部３３を介して受信したか否かを判断し、肯定判断した場合にはＳ６３０に進み、否定判断した場合にはそのまま待機する。
【００９７】
Ｓ６３０では、Ｓ６２０で受信した経路情報９０に含まれている通過点情報９１，道路情報９２，現在地情報９３，目的地情報９４を、制御部３４のＲＡＭに記憶する。
続くＳ６４０では、先のＳ６１０及びＳ６３０で記憶されたユーザ設定情報９０ａ及び経路情報９０に含まれている各種情報と、広告データベース３１に記憶されている広告配信条件４８とに基づいて、車載装置２０に配信する配信広告リスト６１を生成する配信条件マッチング処理を実行する。
【００９８】
続くＳ６５０では、先のＳ６４０で生成された配信広告リスト６１を、外部通信部３３を介して車載装置に送信して、本処理を終了する。
＜配信条件マッチング処理（配信装置）＞
ここで、先の広告情報制御処理のＳ６４０で実行される配信条件マッチング処理の詳細を、図１１に示すフローチャートに沿って説明する。
【００９９】
まず、Ｓ７１０では、広告データベース３１に記憶されている広告情報リスト６０の中から、広告情報４０を一つ抽出する。
続くＳ７１５では、先の広告情報制御処理のＳ６１０で制御部３４のＲＡＭに記憶されたユーザ設定情報９０ａに基づいて、広告情報４０が、ユーザにより希望された広告種別であるか否かを判断し、肯定判断した場合にはＳ７２０に進み、否定判断した場合には再びＳ７１０に戻る。
【０１００】
Ｓ７２０では、先の広告情報制御処理のＳ６２０で制御部３４のＲＡＭに記憶された通過点情報９１と、広告情報リスト６０に記憶されている広告配信条件４８及び広告位置４４とに基づいて、広告情報４０における広告位置４４が、対象車両の通過点のうち、予め設定された距離の範囲（例えば、５〜１０ｋｍ程度）に位置するものがあるか否かを判断する。なお、肯定判断した場合にはＳ７２５に進み、否定判断した場合には再びＳ７１０に戻る。
【０１０１】
Ｓ７２５では、先の広告情報制御処理のＳ６３０で制御部３４のＲＡＭに記憶された通過点情報９１と、広告情報リスト６０に記憶されている広告配信条件４８とに基づいて、広告情報４０が、広告位置４４に最も近い通過点（以下、広告通過点という）を対象車両が通過する予想通過時刻により規定される制約条件を満たすか否かを判断する。なお、肯定判断した場合にはＳ７４０に進み、否定判断した場合にはＳ７３０に進む。
【０１０２】
例えば、この制約条件は、対象車両の予想通過時刻に対して、広告配信条件４８により予め設定された時刻（例えば、１２：００）が一定時間の範囲内（例えば、１１：００〜１３：００）であることや、先の広告情報制御処理のＳ６２０で経路情報９０を受信した時刻が一定時間の範囲内（例えば、２時間以内）であること等により規定されている。
【０１０３】
続くＳ７３０では、先の広告情報制御処理のＳ６３０で制御部３４のＲＡＭに記憶された道路情報９２及び現在地情報９３と、広告情報リスト６０に記憶されている広告配信条件４８及び広告位置４４とに基づいて、広告情報４０が、広告通過点を含むリンクの道路属性により規定される制約条件を満たすか否かを判断する。
【０１０４】
例えば、この制約条件は、広告通過点を含むリンクの道路属性が一般道路である（即ち、高速道路でない）ことや、広告施設の位置が対象車両の進行方向側に面していること等により規定されている。
【０１０５】
続くＳ７３５では、先の広告情報制御処理のＳ６３０で制御部３４のＲＡＭに記憶された目的地情報９４と、広告情報リスト６０に記憶されている広告配信条件４８及び広告内容４５とに基づいて、広告情報４０が、対象車両の目的地から推定される移動の目的に関連したものであるか否かを判断する。
【０１０６】
例えば、対象車両の目的地がビーチであると推定される場合には、広告情報４０が、海水浴に関連した商品を販売している店舗であるか否かを判断したり、対象車両の目的地に専用駐車場がない場合には、広告情報４０が、目的地付近の駐車場であるか否かを判断したりする。なお、肯定判断した場合にはＳ７４０に進み、否定判断した場合には再びＳ７１０に戻る。
【０１０７】
Ｓ７４０では、広告情報４０のマッチング結果を表す配信フラグを、マッチングしたことを表す１に設定してＳ７４５に進む。
Ｓ７４５では、広告情報リスト６０に含まれる全ての広告情報４０についてのマッチングが終了したか否かを判断し、肯定判断した場合にはＳ７５０に進み、否定判断した場合には再びＳ７１０に戻る。
【０１０８】
Ｓ７５０では、先の広告情報制御処理のＳ６１０で制御部３４のＲＡＭに記憶されたユーザ設定情報９０ａに基づいて、マッチングした広告情報４０の数が、ユーザにより配信を希望される広告数以下であるか否かを判断し、肯定判断した場合にはＳ７６０に進み、否定判断した場合にはＳ７５５に進む。
【０１０９】
Ｓ７５５では、マッチングした広告情報４０をユーザが希望する広告数に絞り込む。例えば、広告情報４０は、広告施設の位置が対象車両の現在地から近い順に選択されたり、広告施設の位置が対象車両の目的地から近い順に選択されたり、広告評価情報５０の５段階評価が高い順に選択されたりして絞り込まれる。
【０１１０】
続くＳ７６０では、広告情報４０のうち、広告名称４３，広告位置４４，広告内容４５，広告画像４６，電話番号４７を抽出し、これらが広告番号４１に対応付けられて構成された配信広告情報４０ａからなる配信広告リスト６１を生成して本処理を終了する。
【０１１１】
＜広告評価取得処理（端末装置）＞
次に、端末装置１０の制御部１４が実行する広告評価取得処理を、図１２に示すフローチャートに沿って詳しく説明する。なお、本処理は、操作部１１を介して、広告主から処理開始のための指示が入力されたことを検知したときに起動される。
【０１１２】
本処理が開始されると、Ｓ８１０では、広告配信センタに登録されている広告情報４０の確認を依頼するための確認依頼フォームを、ネットワークＩ／Ｆ１３を介して配信装置３０から取得する。
【０１１３】
続くＳ８２０では、先のＳ３１０で取得した確認依頼フォームを表示部１２に表示する。なお、確認依頼フォームは、広告主ＩＤ４２及びパスワード４２ａを入力するための入力ボックスと、この確認依頼フォームを配信装置３０に送信するか否かを広告主に選択させ、送信する場合に用いられる「送信」ボタンと、送信しない場合に用いられる「キャンセル」ボタンとを有している。
【０１１４】
続くＳ８３０では、確認依頼フォームが有するボタンのうちいずれが押下されたかを判断し、「送信」ボタンが押下された場合にはＳ８４０に進み、「キャンセル」ボタンが押下された場合には本処理を終了する。
【０１１５】
Ｓ８４０では、操作部１１を介して入力された確認依頼フォームを、ネットワークＩ／Ｆ１３を介して、配信装置３０に送信する。
続くＳ８５０では、送信した確認依頼フォームの広告主ＩＤ４２に対応する広告情報４０からなる登録広告リスト６２を、ネットワークＩ／Ｆ１３を介して配信装置３０から受信したか否かを判断し、肯定判断した場合にはＳ８６０に進み、否定判断した場合にはそのまま待機する。
【０１１６】
Ｓ８６０では、先のＳ８５０で受信した登録広告リスト６２を表示部１２に表示する。なお、登録広告リスト６２は、広告情報４０が広告番号４１毎に一覧表示される広告情報ボックスと、広告番号４１毎に対応付けられた広告評価情報５０を配信装置３０に要求するための「評価」ボタンとを有している。
【０１１７】
続くＳ８７０では、登録広告リスト６２の「評価」ボタンが押下されたか否かを判断し、肯定判断した場合にはＳ８８０に進み、否定判断した場合にはそのまま待機する。
Ｓ８８０では、広告主が広告評価情報５０を要求することを表す端末側要求信号を、ネットワークＩ／Ｆ１３を介して配信装置３０に送信する。
【０１１８】
続くＳ８９０では、先のＳ８８０で送信した端末側要求信号に対応する広告評価情報５０を受信したか否かを判断し、肯定判断した場合にはＳ８９５に進み、否定判断した場合にはそのまま待機する。
【０１１９】
Ｓ８９５では、先のＳ８８０で受信した広告評価情報５０を表示部１２に表示して本処理を終了する。
＜広告評価配信処理（配信装置）＞
次に、配信装置３０の制御部３４が実行する広告評価配信処理を、図１３に示すフローチャートに沿って詳しく説明する。
【０１２０】
なお、本処理は、外部通信部３３を介して、端末装置１０から確認依頼フォームを受信するか、端末装置１０から端末側要求信号を受信するか、又は、車載装置２０から車側要求信号を受信するかのいずれかが行われた際に起動される。
【０１２１】
本処理が開始されると、Ｓ９１０では、外部通信部３３を介して受信した情報が、端末装置１０から送信された確認依頼フォームであるか否かを判断し、肯定判断した場合にはＳ９２０に進み、否定判断した場合にはＳ９３０に進む。
【０１２２】
Ｓ９２０では、外部通信部３３を介して受信した確認依頼フォームに基づいて、広告主ＩＤ４２に対応する広告情報４０からなる登録広告リスト６２を生成し、この登録広告リスト６２を、外部通信部３３を介して端末装置１０に送信する。
【０１２３】
続くＳ９３０では、外部通信部３３を介して受信した情報が、車載装置２０から送信された車側要求信号であるか否かを判断し、肯定判断した場合にはＳ９４０に進み、否定判断した場合にはＳ９５０に進む。
【０１２４】
Ｓ９４０では、外部通信部３３を介して受信した車側要求信号に基づいて、広告番号４１に対応する広告評価情報５０を広告情報リスト６０から抽出し、この広告評価情報５０を、外部通信部３３を介して車載装置２０に送信して、本処理を終了する。
【０１２５】
一方、Ｓ９５０では、外部通信部３３を介して受信した情報が、配信装置３０から送信された端末側要求信号であるか否かを判断し、肯定判断した場合にはＳ９６０に進み、否定判断した場合には本処理を終了する。
【０１２６】
Ｓ９６０では、外部通信部３３を介して受信した端末側要求信号に基づいて、広告番号４１に対応する広告評価情報５０を広告情報リスト６０から抽出し、この広告評価情報５０を、外部通信部３３を介して端末装置１０に送信して、本処理を終了する。
【０１２７】
＜動作＞
次に、広告情報配信システム１の動作を、図１４及び図１５に示す説明図に沿って説明する。
【０１２８】
まず、端末装置１０（広告主）は、図１４に示すように、広告施設の広告情報４０を広告配信センタに登録するための登録依頼を広告主ＩＤ４２と共に、配信装置３０（運営者）に送信する（広告登録処理のＳ１４０）。
【０１２９】
この登録依頼を受信した配信装置３０（運営者）は、広告情報４０の広告内容４５などの審査を行い、この審査結果を表す審査通知を、広告主ＩＤ４２に対応するＩＰアドレスに基づいて、端末装置１０（広告主）に返送する（広告登録処理のＳ２８０）。
【０１３０】
また、端末装置１０（広告主）は、広告配信センタに登録されている広告情報４０の広告内容４５などを確認するための確認依頼を広告主ＩＤ４２と共に、配信装置３０（運営者）に送信する（広告評価取得処理のＳ８４０）。
【０１３１】
この確認依頼を受信した配信装置３０（運営者）は、広告データベース３１に記憶されている広告情報リスト６０の中から、広告主ＩＤ４２に対応する広告情報４０を抽出し、この広告情報４０を、広告主ＩＤ４２に対応するＩＰアドレスに基づいて、端末装置１０（広告主）に返送する（広告評価配信処理のＳ９２０）。
【０１３２】
さらに、端末装置１０（広告主）は、広告配信センタに登録されている広告評価情報５０（５段階評価やコメント）を取得するための評価取得依頼を広告番号４１と共に、端末側要求信号にのせて、配信装置３０（運営者）に送信する（広告評価取得処理のＳ８８０）。
【０１３３】
この評価取得依頼を受信した配信装置３０（運営者）は、広告データベース３１に記憶されている広告情報リスト６０の中から、広告番号４１に対応する広告評価情報５０を抽出し、この広告評価情報５０を、広告主ＩＤ４２に対応するＩＰアドレスに基づいて、端末装置１０（広告主）に返送する（広告評価配信処理のＳ９６０）。
【０１３４】
このようにして、配信装置３０は、広告主ＩＤ４２に対応するＩＰアドレスに基づいて、各種情報を端末装置１０に返送している。
次に、車載装置２０（ユーザ）は、配信を希望する広告に関するユーザ設定を、通信ユニット２５において携帯電話接続装置２５ｂに接続される携帯電話２５ａを特定するための識別コードと共に、配信装置３０（運営者）に送信する（広告情報等制御処理のＳ４２０）。
【０１３５】
そして、車載装置２０（ユーザ）は、ナビゲーション処理の経路計算などにより求められた経路情報９０を、識別コードと共に、配信装置３０（運営者）に送信する（広告情報等制御処理のＳ４３０）。
【０１３６】
これらのユーザ設定および経路情報９０を受信した配信装置３０（運営者）は、広告データベース３１に記憶されている広告情報リスト６０の中から、ユーザ設定に基づいて広告情報４０を絞り込み、この広告情報４０の中から、経路情報９０に基づいて広告配信条件４８を満たすものを抽出して、この抽出した広告情報４０を、携帯電話２５ａの識別コードに基づいて、端末装置１０（広告主）に返送する（広告情報制御処理のＳ６５０）。
【０１３７】
また、車載装置２０（ユーザ）は、広告配信センタに登録されている広告評価情報５０（５段階評価やコメント）を取得するための評価取得依頼を広告番号４１と共に、車側要求信号にのせて、配信装置３０（運営者）に送信する（広告評価取得処理のＳ８８０）。
【０１３８】
この評価取得依頼を受信した配信装置３０（運営者）は、広告データベース３１に記憶されている広告情報リスト６０の中から、広告番号４１に対応する広告評価情報５０を抽出し、この広告評価情報５０を、携帯電話２５ａの識別コードに基づいて端末装置１０（広告主）に返送する（広告評価配信処理のＳ９４０）。
【０１３９】
ちなみに、車載装置２０（ユーザ）は、自らが利用した広告施設に対する広告評価情報５０を、配信装置３０（運営者）に送信することができる（広告評価登録処理のＳ３４０）。
【０１４０】
なお、上記実施形態において、広告データベース３１が情報記憶手段、外部通信部３３が配信側通信手段、Ｓ７１０〜Ｓ７６０，Ｓ９３０，Ｓ９５０が情報選択手段、Ｓ６５０が広告情報送信手段、Ｓ９４０，Ｓ９６０が第一評価情報送信手段、Ｓ４２５が経路情報取得手段、通信ユニット２５が車両側通信手段、Ｓ４３０が経路情報送信手段、表示部２３が報知手段、Ｓ４２０が受取情報送信手段、Ｓ３４０が第二評価情報送信手段、Ｓ４６０が要求送信手段に相当する。
【０１４１】
＜効果＞
以上、説明したように、本実施形態の広告情報配信システム１において、配信装置３０は、車載装置２０から受信した経路情報９０に基づいて、広告データベース３１に記憶されている広告情報リスト６０の中から、対象車両の予定経路上における広告通過点が予め設定された距離の範囲内に位置する広告施設に関する広告情報４０を選択して、この広告情報４０を車載装置２０に送信する。
【０１４２】
したがって、本実施形態の広告情報配信システム１によれば、車載装置２０が受信してユーザに表示する広告情報４０が、目的地までのエリアをカバーするものであるため、予め配信された広告情報４０に基づいた利用計画を立てるための充分な時間をユーザに確保させ、ひいては、ユーザが利用しやすい広告情報４０を配信することができる。
【０１４３】
また、広告情報配信システム１において、配信装置３０は、ユーザが設定したユーザ設定情報９０ａと、広告主が設定した広告配信条件４８とをマッチングさせる配信条件マッチング処理に基づいて、広告情報４０をさらに絞り込み、この広告情報４０を車載装置２０に送信する。
【０１４４】
したがって、広告情報配信システム１によれば、車載装置２０に配信される広告情報４０が、ユーザ及び広告主の双方が設定した条件を満たすように絞り込まれたものであるため、双方にメリットが高い広告情報４０を配信することができる。
【０１４５】
また、広告情報配信システム１において、車載装置２０は、ナビゲーション処理の経路計算などを利用して、配信装置３０に送信する経路情報９０を生成するため、既存の装置（即ち、ナビゲーション装置）が有効に活用され、装置構成の無駄を省くことができる。
【０１４６】
さらに言えば、車載装置２０は、広告詳細画面７５及び評価表示画面７６上に、広告内容４５又は広告評価情報５０と共に、広告位置４４を目的地に設定するための「目的地設定」ボタンを表示し、この「目的地設定」ボタンが押下されることにより予定経路が再探索された場合には、この予定経路に応じた経路情報を再び配信装置３０に送信する。
【０１４７】
このため、広告情報配信システム１によれば、広告内容４５又は広告評価情報５０を判断材料にして、利用したい広告施設を目的地に容易に設定することができると共に、この目的地に応じた経路情報を自動的に送信することができる。
【０１４８】
なお、広告情報配信システム１によれば、端末装置１０は、広告主により広告配信センタに登録された広告情報４０の広告施設に対する広告評価情報５０を受信することにより、広告施設に対するユーザの評価やコメント等を広告主にフィードバックさせることができる。
【０１４９】
［他の実施形態］
以上、本発明の実施形態について説明したが、本発明は上記実施形態に限定されるものではなく、本発明の要旨を逸脱しない範囲において、様々な態様にて実施することが可能である。
【０１５０】
例えば、上記実施形態では、配信装置３０の制御部３４が実行する配信条件マッチング処理にて、広告配信条件４８における予想通過時刻、道路属性、移動の目的のうちいずれかを満たした場合（Ｓ７２５〜Ｓ７３５）に配信フラグを１に設定（Ｓ）しているが、広告主の選択的な設定に応じて、いずれも満たさない場合や複数満たした場合に配信フラグを１に設定するようにしてもよい。
【０１５１】
また、上記実施形態では、車載装置２０は、受信した広告情報４０又は広告評価情報５０に含まれる各種画像を表示部２３に表示させているが、受信した広告情報４０又は広告評価情報５０に応じたガイド音声を音声出力部２６に出力させてもよい。
【０１５２】
さらに言えば、配信装置３０が、広告情報４０を表示部２３に表示するタイミング（以下、表示タイミングという）が広告主により予め設定された付加情報を、広告情報４０と共に車載装置２０に配信し、これらを受信した車載装置は、外部メモリ２７に記憶された配信広告リスト６１のうち、付加情報に基づいて、広告主が指定した表示タイミングで広告情報４０を表示部２３に表示させるようにしてもよい。
【０１５３】
なお、表示タイミングは、広告主により、ランチタイムの一時間前（例えば広告施設が飲食店の場合）などの時間で設定されていてもよいし、対象車両の通過点などの場所で設定されていてもよい。
【０１５４】
また、端末装置１０は、携帯電話などの移動体端末であって、携帯電話網を介して配信装置３０と通信可能な通信部を備えていてもよい。
【図面の簡単な説明】
【０１５５】
【図１】本発明が適用された広告情報配信システム１の構成を示したブロック図。
【図２】広告データベース３１に記憶される広告情報リスト６０の項目を示した説明図。
【図３】端末装置１０の制御部１４が実行する広告登録処理の詳細を示したフローチャート。
【図４】配信装置３０の制御部３４が実行する広告登録処理の詳細を示したフローチャ  ート。
【図５】車載装置２０の制御部２８が実行する広告評価登録処理の詳細を示したフロー  チャート。
【図６】車載装置２０の制御部２８が実行する広告情報等制御処理の詳細を示したフローチャート。
【図７】図６におけるＳ４４０で実行される広告表示処理の詳細を示したフローチャート。
【図８】三種類の表示モードからなる広告表示画面７４を示した説明図。
【図９】広告詳細画面７５及び評価表示画面７６を示した説明図。
【図１０】配信装置３０の制御部３４が実行する広告情報制御処理の詳細を示したフローチャート。
【図１１】図１０におけるＳ６４０で実行される配信条件マッチング処理の詳細を示したフローチャート。
【図１２】端末装置１０の制御部１４が実行する広告評価取得処理の詳細を示したフローチャート。
【図１３】配信装置３０の制御部３４が実行する広告評価配信処理の詳細を示したフローチャート。
【図１４】広告情報配信システム１の動作を示す第１の説明図。
【図１５】広告情報配信システム１の動作を示す第２の説明図。
【符号の説明】
【０１５６】
１…広告情報配信システム、１０…端末装置、１１…操作部、１２…表示部、１３…ネットワークＩ／Ｆ、１４…制御部、２０…車載装置、２１…位置検出部、２２…地図データ入力部、２３…表示部、２４…操作スイッチ群、２５…通信ユニット、２６…音声出力部、２７…外部メモリ、２８…制御部、３０…配信装置、３１…広告データベース、３２…地図データ入力部、３３…外部通信部、３４…制御部。
【図１】
0005600862.tif 000002
【図２】
0005600862.tif 000003
【図３】
0005600862.tif 000004
【図４】
0005600862.tif 000005
【図５】
0005600862.tif 000006
【図６】
0005600862.tif 000007
【図７】
0005600862.tif 000008
【図９】
0005600862.tif 000009
【図１０】
0005600862.tif 000010
【図１１】
0005600862.tif 000011
【図１２】
0005600862.tif 000012
【図１３】
0005600862.tif 000013
【図１４】
0005600862.tif 000014
【図１５】
0005600862.tif 000015
【図８】
0005600862.tif 000016